(57)【要約】ＵＴＭ図法で作成された基本図を所定の間隔で升目状に区分し、かつ得られた升目をさらに細分化すると共に、各升目間の不足するデータ及び各升目内の不連続なデータ間を補間して小升目（４）を生成する工程と、得られた小升目（４）のｘ、ｙ座標と測量により得られた標高を関連付けてディジタルデータを生成し、かつ標高が同じ前記小升目（４）を順次直線で結ぶことにより、等高線（６）が線分列で形成された第１地形図（５）を生成する工程と、第１地形図（５）の等高線（６）を数学的にスムーズ化処理することにより、線分列で形成された等高線（６）より滑らかな曲線で等高線（６）が形成された第２地形図（７）を生成する工程とによりディジタル地形図を作成するようにしたもので、滑らかな曲線で等高線（６）が表示されたディジタル地形図が短時間で容易に得られる。
2003090184.tif 000002
【特許請求の範囲】
【請求項１】
ＵＴＭ図法で作成された基本図を所定の間隔で升目状に区分し、かつ得られた升目をさらに細分化すると共に、各升目間の不足するデータ及び各升目内の不連続なデータ間を補間して小升目を生成する工程と、
得られた小升目のｘ、ｙ座標と測量により得られた標高を関連付けて合理性のあるアルゴリズムを根拠にディジタルデータを生成し、かつ標高が同じ前記小升目を順次直線で結ぶことにより、等高線が線分列で形成された第１地形図を生成する工程と、
前記第１地形図の等高線を数学的にスムーズ化処理することにより、線分列で形成された等高線より滑らかな曲線で等高線が形成された第２地形図を生成する工程とを具備したことを特徴とするディジタル地形図の作成方法。
【請求項２】
前記第２地形図を生成するディジタルデータを地図要素データと共に記録手段に格納し、かつこれらデータを単独またはレイヤー構造に合成して表示手段に表示し、または地形図として紙等に出力できるようにしてなる請求項１に記載のディジタル地形図の作成方法。
【請求項３】
標高が同じ小升目を順次直線で結んで前記第１地形図を生成する際、線分列が互いに交差することのないよう数学的処理が適性に行われているかをチェックするチェック機能を設けてなる請求項１または２に記載のディジタル地形図の作成方法。
【請求項４】
前記ＵＴＭ図法により作成された基本図及び地図要素を基に生成された不等辺四辺形を、直角四辺形となるよう数学的に修正及び補間して第３地形図を作成してなる請求項１ないし３のいずれかに記載のディジタル地形図の作成方法。
【請求項５】
利用者が独自に作成した利用者地図要素をデータベース化して記録手段に格納し、かつこれら利用者地図要素と前記第３地形図を単独またはレイヤー構造に合成して表示手段に表示し、または地形図として紙等に出力できるようにしてなる請求項１に記載のディジタル地形図の作成方法。
【請求項６】
ＵＴＭ図法で作成された基本図を所定の間隔で升目状に区分し、かつ得られた升目をさらに細分化すると共に、各升目間の不足するデータ及び各升目内の不連続なデータ間を補間して小升目を生成する工程と、
得られた小升目のｘ、ｙ座標と測量により得られた標高を関連付けて合理性のあるアルゴリズムを根拠に３次元のディジタルデータを生成し、かつ標高が同じ前記小升目を順次直線で結ぶことにより、等高線が線分列で形成された第１地形図を生成する工程と、
前記第１地形図の等高線を数学的にスムーズ化処理することにより、線分列で形成された等高線より滑らかな曲線で等高線が形成された第２地形図を生成する工程と、
前記ＵＴＭ図法により作成された基本図及び地図要素を基に生成された不等辺四辺形を、直角四辺形となるよう数学的に修正及び補間して、前記第２地形図から第３地形図を作成する工程と、
前記第３地形図を生成するディジタルデータを地図要素データと共に記録手段に格納し、かつこれらデータを単独またはレイヤー構造に合成して表示手段に表示し、または地形図として紙等に出力する工程とを具備したことを特徴とするディジタル地形図の作成方法。
【請求項７】
前記表示手段に表示させた第３地形図に、標高に応じて色分けしたカラースケールと、前記カラースケールに沿って移動自在なスライドバーを有するダイアログを表示させ、かつ前記スライドバーを前記カラースケールに沿って移動させることにより、前記第３地形図を標高毎に任意な色に着色できるようにしてなる請求項６に記載のディジタル地形図の作成方法。
【請求項８】
前記表示手段に表示させた前記第３地形図に、任意な等高線の標高を表示する標高表示欄と、着色する等高線の色を指定するカラーパレットを有するダイアログを表示させ、かつ前記標高表示欄に着色する等高線の標高を、そして前記カラーパレットより色を入力することにより、前記第３地形図の等高線を標高毎に任意な色に着色できるようにしてなる請求項６に記載のディジタル地形図の作成方法。
【請求項９】
前記第３地形図の表示された前記表示手段にサブ画面を表示させ、かつ前記サブ画面に、前記表示手段に表示された任意な場所の第３地形図に連続する周辺の第３地形図を、地図番号と地図名で表示してなる請求項６ないし８の何れかに記載のディジタル地形図の作成方法。
【請求項１０】
前記表示手段に前記第３地形図とともに十字上に交差するＸ軸カーソルとＹ軸カーソルを表示させ、かつ前記Ｘ，Ｙ軸カーソルを任意な方向へ移動させて、前記Ｘ，Ｙ軸カーソルの交点を前記第３地形図の任意な場所に合わせることにより、前記交点の緯度と経度を前記表示手段の一部に表示してなる請求項６ないし９の何れかに記載のディジタル地形図の作成方法。
【請求項１１】
前記表示手段に表示させた前記第３地形図上に任意な複数点を設定し、かつこれら複数点を直線または滑らかな曲線で結ぶことにより、前記直線または曲線で断面された前記第３地形図の断面図を前記表示手段の一部に表示してなる請求項６ないし１０の何れかに記載のディジタル地形図の作成方法。
【請求項１２】
前記表示手段に表示させた前記第３地形図の同じ標高の等高線上に、河川を横切るように任意な２点を設定し、かつこれら２点を直線で結ぶことにより、前記直線で断面された河川の断面図を前記表示手段の一部に表示すると共に、前記等高線と前記直線及び前記断面から前記直線より上流側の貯水量を算出してなる請求項６ないし１１の何れかに記載のディジタル地形図の作成方法。
【請求項１３】
前記表示手段に表示させた前記第３地形図の湖や沼を囲む同じ標高の等高線上に、湖や沼を横切るように任意な２点を設定し、かつこれら２点を直線で結ぶことにより、前記直線で断面された湖や沼の断面図を前記表示手段の一部に表示すると共に、前記等高線及び断面から前記湖や沼の貯水量を算出してなる請求項６ないし１２の何れかに記載のディジタル地形図の作成方法。
【請求項１４】
前記表示手段に表示させた前記第３地形図に、地形の傾斜方向と傾斜の大きさを示す矢印を表示してなる請求項６ないし１３の何れかに記載のディジタル地形図の作成方法。
【請求項１５】
ＵＴＭ図法により作成された基本図を升目状に細分化し、得られた升目をさらに細分化すると共に、各升目間の不足するデータ及び各升目内の不連続なデータ間を補間して小升目を形成し、これら小升目毎にディジタル地形図のディジタルデータから標高を読み込み、平面に配列、ブロック化してメッシュ状データを作成し、ベクトルデータとして格納する手段と、格納手段に格納された各小升目毎のベクトルデータを読み出して、標高の許容範囲を定義したデータより標高が同一値の場合は近傍の測定点を選択しながら各小升目を直線で結んでいく処理を行うことにより、これら線分列が互いに交差することがなく、かつ合理性のあるアルゴリズムを根拠に第１地形図を生成する手段と、前記処理により得られた第１地形図の線分列の接点を通り、かつ微分係数が連続的な曲線を数学的にスムーズ化処理することにより、曲線群により等高線が構成された第２地形図を作成する手段と、ＵＴＭ図法により作成された前記基本図及び地図要素を基に生成された不等辺四辺形を、直角四辺形となるよう数学的に修正及び補間して、前記第２地形図から第３地形図を作成する手段と、前記第３地形図を生成するディジタルデータを地図要素データと共に格納する記録手段と、前記記録手段に格納されたディジタルデータを単独またはレイヤー構造に合成して表示する表示手段とを具備したことを特徴とするディジタル地形図の作成装置。
【発明の詳細な説明】
技術分野
本発明は測量データを数学的に処理して等高線を生成することにより、ディジタル地形図を作成するディジタル地形図の作成方法及び測量データを数学的に処理することにより生成された等高線を主要要素とし、すでにディジタル化されている海岸線や河川、湖沼、鉄道、道路、建造物等の地図要素を合成してディジタル地形図を作成するディジタル地形図の作成方法及び作成装置に関する。
背景技術
従来、国土地理院で作成されている地形図は、地表の起伏を等高線で表現しているが、等高線による地形図の作成に当っては、水準点を基準とした三角測量により測量点の標高を測量し、得られた多数の測量点のうち標高が同一の測量点を雲形定規等の製図器具を使用して一つづつ手作業で結ぶことにより作成している。
しかしこの方法では、より精度の高い地形図を得るためには膨大な量の測量点から作成する必要があり、等高線を作成するのに多くの時間と労力を必要とすると共に、得られた測量データを手作業で処理して地形図を作成しなければならないため、地形図の作成にも多くの時間と労力を必要とする上、人為的なミスも発生しやすいため、作成された地形図は精度や信頼性が低い等の問題がある。
一方等高線により地表の起伏が表現された従来の地形図を、パターン認識等の処理により２値化（ディジタル化）し、得られたディジタルデータを曲線化処理することにより地形図を作成したり、等高線を座標読み取り装置により読み取って座標データを作成し、得られた座標データを画像処理して地形図を作成する方法も試みられているが、前者の方法では、得られたディジタルデータの特性の不均一性から滑らかな曲線の地形図が作成できない等の問題があり、後者の方法では、座標データの量が膨大なため処理に困難が伴う等の問題がある。
また等高線のデータがディジタルなベクトルデータであっても等高線そのものが高さ方向の情報、すなわち３次元情報を有していないため、例えば地形図上に道路を計画しても地形の高低差が判読できなかったり、地形図に表示された峡谷に降雨があった場合雨水がどのようにして峡谷に集水されるか、また分水嶺に降雨があった場合分水嶺を境にして雨水はどの方向に流れるか、送電線や通信線を設置する場合地形図のどの位置に鉄塔を設置するか、火山が噴火した場合火砕流はどのように流れるか、海岸線に対して津波はどのように押し寄せるか等をＣＡＤでシミュレーションしようとしても、従来の地形図では不可能である等の問題がある。
本発明はかかる従来の問題点を改善するためになされたもので、精度の高いディジタル地形図が短時間で容易に作成できるディジタル地形図の作成方法を提供することを目的とするものである。
また本発明は、地形の等高線を３次元のディジタルデータで作成し、得られた等高線を主要要素として、すでにディジタル化されている海岸線や河川、湖沼、鉄道、道路、建造物等の地図要素を合成して使用することができるディジタル地形図の作成方法及び作成装置を提供することを目的とするものである。
発明の開示
本発明のディジタル地形図の作成方法は、ＵＴＭ図法で作成された基本図を所定の間隔で升目状に区分し、かつ得られた升目をさらに細分化すると共に、各升目間の不足するデータ及び各升目内の不連続なデータ間を補間して小升目を生成する工程と、得られた小升目のｘ、ｙ座標と測量により得られた標高を関連付けて合理性のあるアルゴリズムを根拠にディジタルデータを生成し、かつ標高が同じ前記小升目を順次直線で結ぶことにより、等高線が線分列で形成された第１地形図を生成する工程と、第１地形図の等高線を数学的にスムーズ化処理することにより、線分列で形成された等高線より滑らかな曲線で等高線が形成された第２地形図を生成する工程とによりディジタル地形図を作成するようにしたものである。
これにより、各工程をコンピュータで処理することにより、滑らかな曲線で等高線が表示されたディジタル地形図が短時間で容易に得られると共に、膨大な測量データを手作業で処理する場合に比べて、人為的なミスが発生することが少ないため、地形図の精度及び信頼性の大幅な向上が図れるようになる。
本発明のディジタル地形図の作成方法は、第２地形図を生成するディジタルデータを地図要素データと共に記録手段に格納し、かつこれらデータを単独またはレイヤー構造に合成して表示手段に表示し、または地形図として紙等に出力できるようにしたものである。
これにより、等高線の表示された第２地形図に、簡単に地図要素を合成して表示手段に表示したり、地形図として紙等に出力する等の作業が容易に行えると共に、必要に応じて地図要素の一部だけを第２地形図に合成することができるため、地形図の利便性が一段と向上する。
本発明のディジタル地形図の作成方法は、標高が同じ小升目を順次直線で結んで第１地形図を生成する際、線分列が互いに交差することのないよう数学的処理が適性に行われているかをチェックするチェック機能を設けたものである。
これにより、得られたディジタルデータの信頼性が向上するため、より精度の高いディジタル地形図が得られるようになる。
本発明のディジタル地形図の作成方法は、ＵＴＭ図法により作成された基本図を基に生成された不等辺四辺形の第２地形図及び地図要素を、直角四辺形となるよう数学的に修正及び補間して第３地形図及び地図要素を作成したものである。
これにより、互いに隣接する第３地形図を寄せ集めた際、等高線や、鉄道、道路、境界線等の地図要素にズレが生じることがない。
本発明のディジタル地形図の作成方法は、利用者が独自に作成した利用者地図要素をデータベース化して記録手段に格納し、かつこれら利用者地図要素と前記第３地形図を単独またはレイヤー構造に合成して表示手段に表示し、または地形図として紙等に出力できるようにしたものである。
これにより、最新の地形図や、利用者の利用目的に応じた地形図が容易に得られるようになる。
本発明のディジタル地形図の作成方法は、ＵＴＭ図法で作成された基本図を所定の間隔で升目状に区分し、かつ得られた升目をさらに細分化すると共に、各升目間の不足するデータ及び各升目内の不連続なデータ間を補間して小升目を生成する工程と、得られた小升目のｘ、ｙ座標と測量により得られた標高を関連付けて合理性のあるアルゴリズムを根拠に３次元のディジタルデータを生成し、かつ標高が同じ前記小升目を順次直線で結ぶことにより、等高線が線分列で形成された第１地形図を生成する工程と、第１地形図の等高線を数学的にスムーズ化処理することにより、線分列で形成された等高線より滑らかな曲線で等高線が形成された第２地形図を生成する工程と、ＵＴＭ図法により作成された基本図及び地図要素を基に生成された不等辺四辺形を、直角四辺形となるよう数学的に修正及び補間して、第２地形図から第３地形図を作成する工程と、第３地形図を生成するディジタルデータを地図要素データと共に記録手段に格納し、かつこれらデータを単独またはレイヤー構造に合成して表示手段に表示し、または地形図として紙等に出力する工程とによりディジタル地形図を作成するようにしたものである。
これにより、各工程をコンピュータで処理することにより、滑らかな曲線で等高線が表示されたディジタル地形図が短時間で容易に得られると共に、膨大な測量データを手作業で処理する場合に比べて、人為的なミスが発生することが少ないため、地形図の精度及び信頼性の大幅な向上が図れるようになる。
またＵＴＭ図法により作成された基本図及び地図要素を基に生成された不等辺四辺形を、直角四辺形となるよう数学的に修正及び補間して、第２地形図から第３地形図を作成するようにしたことから、互いに隣接する第３地形図を寄せ集めて表示手段に表示したり、地形図として紙等に出力した際、等高線や、湖沼、海、海岸線、鉄道、道路、建造物、市町村の境界線等の地図要素にズレが生じることがない。
本発明のディジタル地形図の作成方法は、表示手段に表示させた第３地形図に、標高に応じて色分けしたカラースケールと、カラースケールに沿って移動自在なスライドバーを有するダイアログを表示させ、かつスライドバーをカラースケールに沿って移動させることにより、第３地形図を標高毎に任意な色に着色できるようにしたものである。
これにより、平地は緑色に、そして標高が高くなるに従って緑色から褐色へと順次色分けされたカラー地形図が容易に得られると共に、平地のように標高差の小さい地形図の場合は、スライドバーを移動させ等高線の着色範囲を細かく指定することにより、標高毎に細かく色分けされた第３地形図が得られるため、高低差の判別が容易に行えるようになる。
本発明のディジタル地形図の作成方法は、表示手段に表示させた第３地形図に、任意な等高線の標高を表示する標高表示欄と、着色する等高線の色を指定するカラーパレットを有するダイアログを表示させ、かつ標高表示欄に着色する等高線の標高を、そしてカラーパレットより色を入力することにより、第３地形図の等高線を標高毎に任意な色に着色できるようにしたものである。
これにより、等高線の間隔が狭いため同一標高の等高線が判別しにくい第３地形図でも、所望とする標高の等高線を任意な色で着色することにより、同一標高の等高線の判別が容易に行えるようになる。
本発明のディジタル地形図の作成方法は、第３地形図の表示された表示手段にサブ画面を表示させ、かつサブ画面に表示手段に表示された任意な場所の第３地形図に連続する周辺の第３地形図を、地図番号と地図名で表示したものである。
これにより、サブ画面を見ることにより表示手段に表示させた第３地形図周辺の地形図が、地図番号と地図名から容易に把握することができる。
本発明のディジタル地形図の作成方法は、表示手段に第３地形図とともに十字上に交差するＸ軸カーソルとＹ軸カーソルを表示させ、かつＸ，Ｙ軸カーソルを任意な方向へ移動させて、Ｘ，Ｙ軸カーソルの交点を第３地形図の任意な場所に合わせることにより、交点の緯度と経度を表示手段の一部に表示したものである。
これにより、表示手段に表示された各第３地形図は、互いに合成されて継目部分の等高線が連続しているため、カーソルの交点を移動させることにより、隣接する第３地形図へ連続してスクロールすることができると共に、いまカーソルの交点が地形図上のどの位置にあるかは、サブ画面を見ることにより容易に判断することができる。
本発明のディジタル地形図の作成方法は、表示手段に表示させた第３地形図上に任意な複数点を設定し、かつこれら複数点を直線または滑らかな曲線で結ぶことにより、直線または曲線で断面された第３地形図の断面図を表示手段の一部に表示したものである。
これにより、断面図を参照して鉄塔の高さを設計したり、鉄塔の設置場所を検討することにより、現場での測量を必要とせずに鉄塔の設置場所や高圧線の鉄塔の設置場所や高圧線の布設ルートを決定することが可能になる。
本発明のディジタル地形図の作成方法は、表示手段に表示させた第３地形図の同じ標高の等高線上に、河川を横切るように任意な２点を設定し、かつこれら２点を直線で結ぶことにより、直線で断面された河川の断面図を表示手段の一部に表示すると共に、等高線と直線及び断面から直線より上流側の貯水量を算出したものである。
これにより、第３地形図に表示された河川のどの位置にダムを建設した場合に、どの程度の貯水量が得られるかを瞬時に算出することが可能となる。
本発明のディジタル地形図の作成方法は、表示手段に表示させた第３地形図の湖や沼を囲む同じ標高の等高線上に、湖や沼を横切るように任意な２点を設定し、かつこれら２点を直線で結ぶことにより、直線で断面された湖や沼の断面図を表示手段の一部に表示すると共に、等高線及び断面から湖や沼の貯水量を算出したものである。
これにより、湖や沼の深さや底部の地形が断面図を見ることにより容易に把握できると共に、湖や沼の貯水量が瞬時に算出できるようになる。
本発明の地形図の作成方法は、表示手段に表示させた第３地形図に、地形の傾斜方向と傾斜の大きさを示す矢印を表示したものである。
これにより、地形の傾斜方向や傾斜の大きさが第３地形図上に表示された矢印により容易に把握できるようになる。
本発明のディジタル地形図の作成装置は、ＵＴＭ図法により作成された基本図を升目状に分割し、得られた升目をさらに細分化すると共に、各升目間の不足するデータ及び各升目内の不連続なデータ間を補間して小升目を形成し、これら小升目毎にディジタル地形図のディジタルデータから標高を読み込み、平面に配列、ブロック化してメッシュ状データを作成し、ベクトルデータとして格納する手段と、格納手段に格納された各小升目毎のベクトルデータを読み出して、標高の許容範囲を定義したデータより標高が同一値の場合は近傍の測定点を選択しながら各小升目を直線で結んでいく処理を行うことにより、これら線分列が互いに交差することがなく、かつ合理性のあるアルゴリズムを根拠に第１地形図を生成する手段と、前記処理により得られた第１地形図の線分列の接点を通り、かつ微分係数が連続的な曲線を数学的にスムーズ化処理することにより、曲線群により等高線が構成された第２地形図を作成する手段と、ＵＴＭ図法により作成された前記基本図及び地図要素を基に生成された不等辺四辺形を、直角四辺形となるよう数学的に修正及び補間して、前記第２地形図から第３地形図を作成する手段と、前記第３地形図を生成するディジタルデータを地図要素データと共に格納する記録手段と、前記記録手段に格納されたディジタルデータを単独またはレイヤー構造に合成して表示する表示手段とを具備したことを特徴とするものである。
これにより、滑らかな曲線で等高線が表示されたディジタル地形図が短時間で容易に得られると共に、膨大な測量データを手作業で処理する場合に比べて、人為的なミスが発生することが少ないため、地形図の精度及び信頼性の大幅な向上が図れるようになる。
またＵＴＭ図法により作成された基本図及び地図要素を基に生成された不等辺四辺形を、直角四辺形となるよう数学的に修正及び補間して、第２地形図から第３地形図を作成するようにしたことから、互いに隣接する第３地形図を寄せ集めて表示手段に表示したり、地形図として紙等に出力した際、等高線や、湖沼、海、海岸線、鉄道、道路、建造物、市町村の境界線等の地図要素にズレが生じることがない。
発明を実施するための最良の形態
本発明の実施の形態を、図面を参照して詳述する。
ディジタル地形図を作成するに当って、まず基本となる地形図を作成するＵＴＭ図法について簡単に説明する。
第１図に示すように、球体である地球１に対して赤道に直交し、南北極点を結ぶ線が経線２、この経線に直交する線が緯線３である。
隣接する経線２間の角度を例えば６°として分割すると、３６０°の地球１に対して６０本の経線２が引かれ、これら経線２の番号順に経度が定義される。
また赤道を緯度０°とし、南北両極点をそれぞれ緯度９０°として、その間を所定の角度で分割することにより、緯度が定義される。
経線２と緯線３で分割区画された地球１を、ガルス、クリューゲル法で平面に投影すると第２図に示すようになる。
球面を平面に投影したことにより、経線２と緯線３により分割形成された区画は、第３図に示すように南北両極点側の幅が狭くなった不等辺四角形となり、底辺を例えば１とした場合、上辺は０，９９９程度に縮小される。
一方国土地理院より発行されている我が国の地形図は、前記ＵＴＭ図法で作成されており、主な縮尺は５０，０００分の１や、２５，０００分の１となっている。
この地形図には、測量により得られた多量の測量データを基に作成された等高線や、河川、海、鉄道、道路、地名等が詳細に記載されている。
また最近では、測量により得られた多量の測量データをディジタル化して、水準点からの高さ（標高）を色で区分けした第７図に示すようなディジタル地形図も提供されている。
しかしこのディジタル地形図は、等高線が表示されていないことから等高線による標高等の把握が粗く困難である。
そこで本発明は、国土地理院より発行されている前記ディジタル地形図より取得したディジタルデータを基に、詳細な等高線が表示されたディジタル地形図を作成する方法を提供するものである。
次にその作成方法を第６図に示すフローチャートを説明する。
前記ＵＴＭ図法により作成された地図を、第３図に示すように５０ｍや、２５０ｍ、詳細図を得る場合は、１０ｍ等の間隔で升目状に細分化する。
得られた例えば５０ｍ四方の升目をさらに１０等分程度に分割して図郭で囲まれた第３図に示すような小升目４を形成するが、５０ｍ四方の升目を１０等分程度に分割した場合、各画郭間にデータの不連続な部分が発生したり、画郭内でデータの不連続部分が発生する。
またＵＴＭ図法により作成された不等辺四角形の地図を後述する方法で直角等辺四角形に変換した場合も、不等辺四角形の距離の短い上辺長を底辺長と同一となるよう変換処理した際に、上辺側のデータが不足する。
そこでこれらデータの不連続部分を補間したり、データの不足を補間して、連続する小升目４を形成するが、補間方法としては、比較的精度の高い加重補間法等を使用する。
次に補間により得られた小升目４毎に前記ディジタル地形図のディジタルデータから標高を読み込み、平面に配列、ブロック化されたメッシュ状データを作成し、ベクトルデータとして第４図に示す地形図作成システムのＨＤ１１に格納する（ステップ１）。
次にＨＤ１１に格納された各小升目４毎のベクトルデータを読み出してＣＰＵ１０により処理し、第８図に示すような第１地形図５を生成するが、第１地形図５の生成に当っては、小升目４のｘ、ｙ平面と高さ方向に標高ｈを定義する（ステップ２）。
予め地形図作成システムのデータベース１２には、標高ｈの許容範囲を定義したデータが格納されていて、ＣＰＵ１０は標高ｈが同一値の場合は近傍の測定点を選択しながら各小升目４を直線で結んでいく処理を行い、ブロック内の各小升目４の全ての処理を行うことにより、これら線分列が互いに交差することがなく、かつ合理性のあるアルゴリズムを根拠に第５図に示すような第１地形図５を生成する（ステップ３）。なお第９図は、第８図の一部を拡大したものである。
またＣＰＵ１０は前記処理中、各小升目４を直線で結んでいく処理が適正に行われているかを絶えずチェックするチェック機能を設けて処理を進める。
得られた第１地形図５は、メッシュデータが升目状となっていて、かつ同一標高ｈを順次結ぶことにより生成されていることから直角線分になりやすく、また地形を表示する等高線６は連続していることから、次の等高線化処理を容易にしている。
等高線化処理は、前記処理により得られた第１地形図５をスムーズ化処理して、滑らかな曲線による等高線６を生成するもので、崖のように等高線６の密度が高い部分は、前述した線分列と同一のものと考えてこの線分列をスムーズ化処理しており、これら線分列の接点を通り、かつ微係数（微分値）が連続的な曲線を数学的に処理することにより、曲線群により等高線６が構成された第１０図に示すような第２地形図７を作成する（ステップ４）。なお第１１図は第１０図の一部を拡大したものである。
以上のようにして作成された第２地形図７は、底辺に対し上辺が小さい不等辺四角形にブロック化して作成したため、複数のブロック化された第２地形図７を寄せ集めると、隣接する地形図の等高線６にズレが生じる等の問題が発生する。
この問題を解消するため、本出願人が先に出願した特開２０００−１１８０５１号公報に記載の既知の方法で、不等辺四角形上の座標アドレスを、その区分内のデータ及び数を維持したまま等辺四角形上の座標アドレスに座標変換して、等辺四角形の第３地形図８を数学的に作成する（ステップ５）。
これら処理は先願と同様に地図作成システムを使用して行うが、その方法を簡単に説明すると、第１４図の（イ）は、ガウス・クリューゲル図法による投影データから切り出した不等辺四角形の形状を有する任意な場所の第２地形図７と、その変換相手となる直交等辺四角形の第３地形図８を示すもので、座標変換プログラムのアルゴリズムとは、第１４図の（イ）の不等辺四角形の座標から直交等辺四角形への図形変換処理を指す。
第２地形図７と第３地形図８は、何れもディジタル画像であり、単位は画素であるが、第２地形図７から第３地形図８に変換するに際し、両地形図７，８とも同様な画素配列と画素数とが維持されるように座標変換を行うもので、これが基本的な考え方である。
なお座標変換とは、不等辺四角形の座標（アドレス）で位置（アドレス化）決めされたメモリに対しての、等辺四角形の座標アドレスへのアドレス変換処理である。
第１４図の（イ）に示す第２地形図７と第３地形図８の底辺長、高さが同一長Ｂ、Ｈとすると、第３地形図８は、横がＢ、縦がＨとなる直交等辺四角形であり、第２地形図７の上辺は、左端の開始点がΔＸ１、右端の終了点が第３地形図８の上辺の右端よりΔＸ２短いものとなる。
これによって、第２地形図７は不等辺四角形となるので、第２地形図７の任意の位置を（ｘ′、ｙ′）とし、図形変換後の（ｘ′、ｙ′）の第３地形図８上の位置を（ｘ、ｙ）とする。
第１４図の（ロ）は、互いのサイズ関係を明らかにするために両地形図７，８とを重ね合わせた様子を示しており、この図で不等辺四角形を延長させて三角形としたときの高さ（ｙ座標）をＮ、そのｘ座標値をＬとする。
以上のように第１４図でＨ、Ｂ、Ｎ、Ｌ、Ｂ、ΔＸ１、ΔＸ２は、切り出し区分が定まれば既知の値であるから、かかる既知の各値を利用しての、（ｘ′、ｙ′）から（ｘ、ｙ）への座標変換式は、次式となる。
【数１】
2003090184.tif 000003
但し、Ｌ、Ｎは、次式から得られる値である。
【数２】
2003090184.tif 000004
以上の数１、数２の数式は、代数幾何学によって求まるものであり、その過程は省略する。
第３図及び第４図は第２地形図７から第３地形図８への座標変換での座標例を示すもので、第２地形図７と第３地形図８は簡単にするため１０×１０画素サイズとしており、これは先に述べた第２地形図７と第３地形図８とにあって同一画素配列と同一画素数を維持したことを意味している。
第３図において、不等辺四角形の各座標は、下側の１画素区画が大きく上側になる程に１画素区画が小さく、かつ各画素区間は不等辺四角形の形状となるように座標系で規定されている一方、第４図に示す等辺四角形の各座標は、縦横規則的に配列した座標系となり、得られた第３地形図８を例えば４枚寄せ集めると図１２に示すように、等高線６にずれのない連続した地形図となる。
またこれら第３地形図８にはまだ地図要素が表示されていないが、必要に応じてデータベース１２に予め格納された地図要素を読み出して合成し、地形図作成システムの表示手段１３に表示したり、図示しないプリンタ等の印刷手段を使用して紙等に地形図として出力することができるが、データベースに格納された地図要素がＵＴＭ図法で作成されていると、直角等辺四角形に変換された第３地形図８に河川や海、鉄道、道路、市町村の境界等の地図要素を重ねてレイヤー構造に合成した場合、複数のブロック化された第３地形図８を寄せ集めると、隣接する地形図の地図要素にズレが生じる等の問題が発生する。
これをなくすため、地図要素に対しても前記第２地形図７と同様な座標変換処理を行うことにより、不等辺四角形の各座標が直角等辺四角形の座標に変換されて地図要素が作成されている。
以上のようにして作成された等高線データ及び地図要素は予めデータベース１２に格納されていて、必要に応じていつでも等高線単独または地図要素とともにデータベース１２より読み出すことができると共に、等高線データにはｘ、ｙ平面データに標高ｈのデータが含まれていることから、等高線データを既知の方法で３次元処理することにより、地形を立体的に表示することもできるようになり、特に土木工事や災害予測、登山等に使用するのに最適な地形図が得られるようになる。
第１３図は富士山付近の地形図に、水資源の調査により得られたデータを合成した例を示したもので、水源地の水質を色分けして表示することにより、資源の把握が容易となる。
一方データベース１２に予め格納されている地図要素のデータ形式はディジタルベクタ（ベクトルデータ）であって、前述した河川等のほかに、文字データとして地名や駅名、経度や緯度の位置情報、等高線毎に表示された水準点からの高度（標高）等があり、標高に応じて第３地形図８を着色したり、等高線６を１本づつ高さに応じて異なる色で着色したり、もしくは地形図に合成して表示した道路や山道等の登りと下りを異なる色で着色することができる等、次のような機能の付加が可能となっている。
第１５図は表示手段１３に表示させた任意な場所の地形図に、標高に応じて着色する機能を実行するダイアログ２０を示すもので、ダイアログ２０には例えば標高０ｍから４０００ｍまでを、緑から褐色に順次色分けして表示するカラースケール２０ａとカラースケール２０ａに沿って移動自在な例えば２個のスライドバー２０ｂ、２０ｃと、カラースケール２０ａに沿って付された標高目盛２０ｄ等が表示されている。
このダイアログ２０の使用法としては、データベース１２に格納されている地形図データを、予め第３地形図８毎に付された地図番号２２ａまたは地図名２２ｂで表示手段１３に呼び出し表示させたら、ダイアログ２０を表示させる。
ダイアログ２０のカラースケール２０ａには、標高が高くなるに従い緑色から褐色まで順次色分けされており、表示された通りの色分けでよい場合は、図示しない実行ボタンをクリックすることより、表示手段１３に表示された第３地形図８がカラースケール２０ａの色分けに応じて標高毎に着色表示さると共に、得られた第３地形図８に道路や山道等の地図要素を合成して表示する場合は、道路や山道等の登りと下りを異なる色で表示することにより、登り坂か下り坂かが容易に判別できる上、これを紙等に出力することにより地図要素を合成したカラーの地形図が得られるようになる。
また第１６図は、表示手段１３に表示させた第３地形図８の着色の範囲を任意に変更する機能を示したもので、ダイアログ２０のカラースケール２０ａに設けられた左側のスライドバー２０ｂを、カラースケール２０ａに沿って右方へ移動することにより、緑色に着色する標高が任意に変更できるようになっている。
この第１６図の場合、例えば８７０ｍ付近までを緑色に着色した状態を示している。
同様にカラースケール２０ａの右側のスライドバー２０ｃを左方へ移動すると、褐色に着色する標高が任意に変更できるようになっており、スライドバー２０ｃを例えば２６６０ｍ付近に移動すると、２６６０ｍ以上の標高部分は褐色に表示されるようになっている。
この機能は、標高差の少ない例えば平地の第３地形図８や、高い山が連なる山岳地帯の第３地形図８を標高毎に着色した場合、ほとんどが同一色の緑色や褐色で表示されてしまい、高低差が判別しにくい地形図になってしまうことから、これを避けるために使用するもので、ダイアログ２０のカラースケール２０ａに設けられた左右のスライドバー２０ｂ，２０ｂを、カラースケール２０ａに沿って右または左に移動して、緑色や褐色に着色する標高を任意に変更することにより、低地や高地の地形のように標高差のない地形図であっても、標高毎に細かく色分けされた第３地形図８が得られるため、高低差の判別が容易に行えるようになる。
また第１６図に示すダイアログ２０の左下に表示されたカラーバー２０ｅは、標高毎に等高線に任意な色が着色できる機能を示したもので、例えば１０４０ｍを茶色に、１２１０ｍを青色に、そして１４１０ｍが赤色に着色されるように指定することにより、標高１０４０ｍを表示する等高線は茶色に、標高１２１０ｍを表示する等高線は青色に、そして標高１４１０ｍを表示する等高線は赤色に着色された第３地形図８が表示手段１３に表示され、紙等への出力も可能になる。
第１７図は表示手段１３に表示させた第３地形図８の等高線６を任意な色で着色する際の実行画面を示すもので、第３地形図８と共に表示手段１３に表示されたダイアログ２１により任意な等高線６に任意な色で着色したり、等高線６の色を変更することができる。
すなわちダイアログ２１の標高表示欄２１ａに着色したい等高線６の標高を表示させたら、カラーパレット２１ｂにより任意な色を指定することにより、その等高線６を所望の色に着色して第３地形図８上に表示できると共に、カラーパレット２１ｂ上で別の色を選択することにより、色の変更も容易に行えるようになる。
第１８図は任意な場所の第３地形図８を、地図番号２２ａまたは地図名２２ｂでデータベース１２により呼び出して表示手段１３に表示した例を示すもので、左上のサブ画面２２には、表示手段１３に表示した第３地形図８周辺の８個所の地図番号２２ａと地図名２２ｂが同時に表示されている。
また表示手段１３の画面に表示された第３地形図８上には、Ｘ軸カーソル２３ａとＹ軸カーソル２３ｂを十字状に交差させたカーソル２３が表示されており、このカーソル２３の交点２３ｃを移動させることにより、ダイアログ２４に交点２３ｃの任意が、北緯２４ａと東経２４ｂで表示され、同時に標高２４ｃも表示される。
表示手段１３に表示された各第３地形図８は、互いに合成されて継目部分の等高線６が連続しているため、カーソル２３の交点２３ｃを移動させることにより、隣接する第３地形図８へ連続してスクロールすることができると共に、いまカーソル２３の交点２３ｃが地形図上どの位置にあるかは、左下のサブ画面２５を見ることにより容易に判断することができる。
すなわちサブ画面２５に隣接する地図番号２２ａが表示され、これら地図番号２２ａの間にカーソル２３の交点２３ｃがある場合は、表示手段１３に表示された第３地形図８が隣接する地形図に跨って表示されていることが容易に判断できる。
また表示手段１３に表示された第３地形図８には、矢印２６によって傾斜（グラディエント）方向が表示されている。
このグラディエントを示す矢印２６は、地形が矢印方向へ低く傾斜していることを示し、かつ矢印２６の長さが傾斜の大きさ、すなわち勾配を示しており、矢印２６にカーソル２３の交点２３ｃを合わせると、そのグラディエントの数値２４ｄがダイアログ２４に表示される。
第１９図は地形図の富士山（地図番号：５３３８０５、地図名：富士山）を表示手段１３に表示させた例を示すもので、左上のサブ画面２２には、富士山とその周辺の地図番号２２ａと地図名２２ｂが、そして左下のサブ画面２５には富士山の地図番号「５３３８０５」が表示される。
表示された第３地形図８の富士山の山頂を横切るように表示された直線２７は、表示された第３地形図８の任意な２点Ａ−Ｂ間の断面を設定するためのもので、第３地形図８上に点Ａ及び点Ｂを設定すると、点Ａと点Ｂとを結ぶ直線２７により切断された第３地形図８の断面が画面の下側に断面図２８として拡大表示される。
表示された断面図２８の縦軸には標高が数字で表示され、横軸には距離が数字（いずれも単位はｍ）で表示されるようになっており、この断面図２８を見れば、富士山頂に形成されたいわゆる「お釜」の直径や深さ等が容易に把握でき、Ａ−Ｂ間の直線２７の位置を移動することにより、任意な位置の断面を断面図２８として画面の下側部分に表示することができる。
図２０図は第３地形図８の任意な場所を曲線２９で断面し、画面の下側に断面図２８として表示した例を示したものである。
この第３地形図８の利用方法としては、ある場所に例えば高圧線を布設するため第３地形図８のどの場所に高圧線の鉄塔を設置するかを検討する場合に有効である。
先ず高圧線を布設する場所の第３地形図８を表示手段１３に表示させ、第３地形図８の鉄塔設置予定地に複数の目印３０を設定する。
そしてこれら目印３０を曲線２９で結ぶことにより、画面の下側には曲線２９で断面された第３地形図８の断面図２８が表示されるため、この断面図２８を参照して鉄塔の高さを設計したり、鉄塔の設置場所を検討することにより、現場での測量を必要とせずに鉄塔の設置場所や高圧線の鉄塔の設置場所や高圧線の布設ルートを決定することが可能になる。
第２１図は表示手段１３に表示された第３地形図８の中の例えば河川を横切る任意な２点Ｃ−Ｄを直線３１で結ぶことにより、ダムの貯水量を算出する例を示すもので、第３地形図８に表示された河川のどの位置にダムを建設した場合に、どの程度の貯水量が得られるかを瞬時に算出することが可能となる。
すなわち第３地形図８の河川を横切る２点Ｃ−Ｄを設定して直線３１で結ぶと、直線３１で断面された第３地形図８の断面図３２が画面に表示されると同時に点Ｃ、Ｄが設定された等高線６が例えば赤色で表示され、この等高線６と直線３１で囲まれた部分と、断面形状から貯水量を算出することができる。
これによってダムの貯水量が予め決まっている場合、河川のどの位置にダムを建設すればよいかが第３地形図８上で決定できるため、ダムの建設計画に要する期間を大幅に短縮することができる。
第２２図は湖や沼の水量を算出したり、任意な２点Ｅ−Ｆを結ぶ直線３３で湖や沼を断面してその断面図３４を表示したもので、湖や沼を囲む着色等高線６は分水嶺を示しており、この着色等高線６に点Ｅと点Ｆを設定して、これら２点Ｅ−Ｆを直線３３で結ぶことにより、直線３３で断面された湖や沼の断面図３４が画面の一部に表示される。
また湖や沼の中央に向かって表示される矢印３５は、グラディエントの向きを、そして長さは勾配の大きさを示すもので、断面図３４の縦軸に表示された標高と、横軸に表示された距離（いずれも単位はｍ）により湖や沼の深さと大きさを容易に知ることができる。
第２３図は第２２図に示す第３地形図８の湖や沼の部分を拡大表示したもので、湖や沼に降った雨のうち、湖や沼を囲む峰の最高部を結んだ着色等高線Ｒで示す分水嶺より内側に降った雨は湖や沼に流れ込み、外側に降った雨は、湖や沼に流れ込むことなく山の斜面に沿って谷などへ流れ落ちることになる。
湖や沼のＱの個所に堰が設けられていて、この堰Ｑを越えて湖や沼の水が流れ出す場合は、堰Ｑの高さで規制される等高線Ｓの範囲内が湖や沼の水量となり、着色等高線Ｒの範囲内に降った雨の量から、地下へ浸透して地下水となる水量を感じた値が堰Ｑにより流れ出す水量となり、予め設定した図示しないボタンをクリックすることにより、水量の計算が自動的に行われるようになっている。
さらに第３地形図８に等高線６により表示された河川、特に山間部での河川の川底は、高地から低地に向かって道路状に表示されるが、河川を横切るように設定した２点を直線で結ぶと、直線で断面された断面形状から貯水量が算出きることはダムの貯水量を算出するときに説明したが、道路状に表示された河川の川底を中心にして河川の両側に２点を設定する操作を河川の全域に亘って任意の間隔で実施し、断面積をデータ化することにより、大雨の際に河川のどの部分が氾濫するかを予測する防災地図が容易に得られるようになる。
一方前述した道路や河川、鉄道、地名等の地図要素は、予め国土地理院等で作成されたデータベースを使用しているが、地図要素は、自然現象や人工的な環境の変化により時々刻々変化しており、例えば山間地に降った大雨により崖崩れが発生したり、道路や鉄道が新たに敷設されたり、山林が耕作されて農地となる等の変化を従来のデータベース化された地図要素では迅速に対応できない。
これを改善するため、利用者が付加情報として独自に作成した利用者地図要素をデータベース化してデータベース１２に格納し、必要に応じてデータベースより呼び出すことができるようになっており、利用者が必要とする付加情報、または付加情報と位置により呼び出した利用者地図要素を第３地形図８に重ねて表示することにより、最新の地形図や、利用者の利用目的に応じた地形図が容易に得られるようになる。
以上説明した各種の機能は、予めデータベース１２に格納されている等高線データを呼び出して、ＣＰＵ１０により演算処理することにより可能となるが、データベース１２に格納されている等高線データは、各等高線６の間のデータが補間により作成されているため、この補間等高線データを使用することにより、等高線６の間隔を１０ｍや２０ｍのように任意な間隔で表示することが可能であり、特に崖等のように地形が複雑な場所では、等高線６の間隔を小さくすることにより、地形がより詳細に表示できるようになる。
また資源等の調査により得られたデータをデータベース化してデータベース１４に格納し、必要に応じて等高線６が表示された地形図に合成して出力する等の利用法も容易に行える。
なお前記実施の形態では、国土地理院より発行されているディジタル地形図より取得したディジタルデータを基に、詳細な等高線が表示されたディジタル地形図を作成したが、等高線がディジタル化された地形図であれば他のものを使用してもよい勿論よい。
産業上の利用可能性
以上のように、本発明のディジタルの作成方法によれば、滑らかな曲線で等高線が表示されたディジタル地形図が短時間で容易に得られると共に、膨大な測量データを手作業で処理する場合に比べて、人為的なミスが発生することが少ないため、地形図の精度及び信頼性の大幅な向上が図れる。
また等高線の表示された第２地形図に、簡単に地図要素をレイヤー構造に合成して表示手段に表示したり、地形図として紙等に出力する等の作業が容易に行える上、必要に応じて地図要素の一部だけを第２地形図に合成することができるため、地形図の利便性が一段と向上する。
さらに標高毎に任意な色に着色できるようにしたことから、平地は緑色に、そして標高が高くなるに従って緑色から褐色へと順次色分けされたカラー地形図が容易に得られると共に、平地のように標高差の小さい地形図の場合は、等高線の着色範囲を細かく指定することにより、標高毎に細かく色分けされた第３地形図が得られるため、高低差の判別が容易に行えるようになる。
さらに直線または曲線で断面された第３地形図の断面図を表示手段の一部に表示することにより、断面図を参照して鉄塔の高さを設計したり、鉄塔の設置場所を検討することにより、現場での測量を必要とせずに鉄塔の設置場所や高圧線の鉄塔の設置場所や高圧線の布設ルートを決定することが可能になると共に、表示手段に表示させた第３地形図の同じ標高の等高線上に、河川を横切るように任意な２点を設定し、かつこれら２点を直線で結ぶことにより、等高線と直線及び断面から直線より上流側の貯水量を算出することができるため、第３地形図に表示された河川のどの位置にダムを建設した場合に、どの程度の貯水量が得られるかを瞬時に算出することが可能となる。
【図面の簡単な説明】
第１図は、本発明の地形図の作成方法に使用する基本図の作成方法を示す説明図、第２図は、本発明の地形図の作成方法に使用する基本図の作成方法を示す説明図、第３図は、本発明の地形図の作成方法を示す説明図、第４図は、本発明の地形図の作成方法を示す説明図、第５図は、本発明の地形図の作成方法に使用するディジタル地形図の作成装置を示すブロック図、第６図は、本発明の地形図の作成方法を示すフローチャート、第７図は、測量により得られた標高を色で区分けしたディジタル地形図、第８図は、本発明の地形図の作成方法で得られた第１地形図、第９図は、第８図に示す第１地形図の一部拡大図、第１０図は、本発明の地形図の作成方法で得られた第２地形図、第１１図は、第１０図に示す第１地形図の一部拡大図、第１２図は、本発明の地形図の作成方法で得られた第３地形図を寄せ集めた状態の説明図、第１３図は、本発明の地形図の作成方法で得られた第３地形図に資源等の地図要素を合成した状態の説明図、第１４図（イ）及び（ロ）は、本発明の地形図の作成方法で不等辺四角形を等辺四角形に座標変換する説明図、第１５図は、本発明の地形図の作成方法で得られた第３地形図に、標高毎に着色するためのダイアログを表示した状態の説明図、第１６図は、本発明の地形図の作成方法で得られた第３地形図に、標高毎に着色するためのダイアログを表示した状態の説明図、第１７図は、本発明の地形図の作成方法で得られた第３地形図の等高線に着色するためのダイアログを表示した状態の説明図、第１８図は、本発明の地形図の作成方法で得られた第３地形図と同時に、カーソル及びサブ画面を表示した状態の説明図、第１９図は、本発明の地形図の作成方法で得られた第３地形図と同時に、断面図及びサブ画面を表示した状態の説明図、第２０図は、本発明の地形図の作成方法で得られた第３地形図と同時に、断面図及びサブ画面を表示した状態の説明図、第２１図は、本発明の地形図の作成方法で得られた第３地形図と同時に、断面図及びサブ画面を表示した状態の説明図、第２２図は、本発明の地形図の作成方法で得られた第３地形図と同時に、断面図及びサブ画面を表示した状態の説明図、第２３図は、第２２図に示す第３地形図の一部拡大図である。
【図１】
2003090184.tif 000005
【図２】
2003090184.tif 000006
【図３】
2003090184.tif 000007
【図４】
2003090184.tif 000008
【図５】
2003090184.tif 000009
【図６】
2003090184.tif 000010
【図７】
2003090184.tif 000011
【図８】
2003090184.tif 000012
【図９】
2003090184.tif 000013
【図１０】
2003090184.tif 000014
【図１１】
2003090184.tif 000015
【図１２】
2003090184.tif 000016
【図１３】
2003090184.tif 000017
【図１４】
2003090184.tif 000018
【図１５】
2003090184.tif 000019
【図１６】
2003090184.tif 000020
【図１７】
2003090184.tif 000021
【図１８】
2003090184.tif 000022
【図１９】
2003090184.tif 000023
【図２０】
2003090184.tif 000024
【図２１】
2003090184.tif 000025
【図２２】
2003090184.tif 000026
【図２３】
2003090184.tif 000027
【国際調査報告】
2003090184.tif 000028
2003090184.tif 000029
2003090184.tif 000030
2003090184.tif 000031